(57)【要約】【課題】簡易な構成で、傾斜面や水に対する恐怖心を取り除き、幼児の意志で昇降や水遊びを行うことができる幼児用遊具を提供する。【解決手段】遊具本体１１には水１２を収容可能な収容凹部１３が設けられている。遊具本体１１の一端部１１ａと収容凹部１３との間には、遊具本体１１の一端部１１ａ側が高く、収容凹部１３側が低くなる昇降用傾斜部１７が設けられている。遊具本体１１の一端部１１ａには遊具本体１１の外方に向かって低くなるとともに、昇降用傾斜部１７に連なる昇降用坂道板３１が着脱可能に設けられている。前記収容凹部１３の周囲には、幼児１４が腰を掛ける段部１８が設けられ、該段部１８が昇降用傾斜部１７に連なるように構成されている。遊具本体１１の周縁部には段部１８より高い収容壁１９が立設されている。【選択図】図１
0003170656.tif 000002
【実用新案登録請求の範囲】
【請求項１】
遊具本体には水又は遊具用固体を収容可能な収容凹部を設け、遊具本体の一端部と収容凹部との間には遊具本体の一端部側が高く、収容凹部側が低くなる昇降用傾斜部を設けるとともに、遊具本体の一端部には遊具本体の外方に向かって低くなる昇降用坂道板を着脱可能に設けたことを特徴とする幼児用遊具。
【請求項２】
前記収容凹部の周囲には幼児が腰を掛ける段部を設け、該段部が前記昇降用傾斜部に連なるように構成したことを特徴とする請求項１に記載の幼児用遊具。
【請求項３】
前記遊具本体の周縁部には段部より高い収容壁を立設したことを特徴とする請求項１又は請求項２に記載の幼児用遊具。
【請求項４】
前記遊具本体及び昇降用坂道板の表面には滑り止め部を形成したことを特徴とする請求項１から請求項３のいずれか一項に記載の幼児用遊具。
【請求項５】
前記遊具本体及び昇降用坂道板を繊維強化プラスチックにより形成するとともに、収容凹部を形成する底壁は繊維強化プラスチックの層間に樹脂発泡体を介在させて構成したことを特徴とする請求項１から請求項４のいずれか一項に記載の幼児用遊具。
【考案の詳細な説明】
【技術分野】
【０００１】
本考案は、幼児が幼稚園や保育園等において、夏季には幼児用プールとして使用することができ、それ以外の季節にはボールや砂などを収容して遊ぶことができる幼児用遊具に関するものである。
【背景技術】
【０００２】
移動可能な幼児用のプールとしては、例えば四角箱状に形成されその中心部に水を収容する収容部が設けられ、その周囲に幼児が座る腰掛部が設けられた構造のものが知られている。そして、幼児はプールの収容部に溜められた水の中で水遊びをしたり、水に浮かべたおもちゃで遊んだり、腰掛部に座って休んだりすることができるようになっている。
【０００３】
この種の幼児用プールとして、具体的には特許文献１に記載された幼児用水浴装置が知られている。この幼児用水浴装置は、装置本体を所望の深さとした水浴場と、その水浴場から下向き傾斜状に連接した昇降場と、その昇降場の下端に連接した補助水浴場とを一体成形し、昇降場の両側に昇降用手摺り杆を着脱自在に立設したものである。そして、幼児は水浴場又は補助水浴場でそれぞれの水の深さに応じた水浴びを楽しむことができるとともに、水浴場と補助水浴場との間を昇降場を介して容易に行き来することができる。
【先行技術文献】
【特許文献】
【０００４】
【特許文献１】実開昭６０−１４１３５２号公報
【考案の概要】
【考案が解決しようとする課題】
【０００５】
ところが、特許文献１に記載された従来構成の幼児用水浴装置では、水浴場及び補助水浴場の周囲には起立縁が立設されていることから、幼児が自ら水浴場の中へ入ったり、外へ出たりすることはできない。幼児が水浴場の中へ入ったり、外へ出たりする場合には、大人が幼児を介添間口から抱きかかえて水浴場の中へ入れたり、外へ出したりする必要があった。そのため、幼児は自ら水浴場や補助水浴場に出入りすることができない。従って、幼児は自分の意志で行動することができず、幼児の自発性を育てる点に欠けるとともに、大人がそのような介添作業をすることも面倒であった。
【０００６】
また、昇降場の両側には昇降用手摺り杆が設けられていることから、幼児はその昇降用手摺り杆につかまって昇降場を上下する場合があり、昇降場を自分の力で昇り降りすることが十分にできなかった。さらに、水浴場と踊り場との間には階段状のステップが設けられており、幼児はそのステップに足を載せて水浴場と踊り場との間を行き来するため、幼児は傾斜面に慣れることが難しいという欠点があった。
【０００７】
本考案は、以上のような従来技術に存在する問題点に着目してなされたものであって、その目的とするところは、簡易な構成で、傾斜面や水に対する恐怖心を取り除き、幼児自らの意志で昇降や水遊びを行うことができる幼児用遊具を提供することにある。
【課題を解決するための手段】
【０００８】
上記の目的を達成するために、請求項１に係る考案の幼児用遊具は、遊具本体には水又は遊具用固体を収容可能な収容凹部を設け、遊具本体の一端部と収容凹部との間には遊具本体の一端部側が高く、収容凹部側が低くなる昇降用傾斜部を設けるとともに、遊具本体の一端部には遊具本体の外方に向かって低くなる昇降用坂道板を着脱可能に設けたことを特徴とする。
【０００９】
請求項２に記載の考案の幼児用遊具は、請求項１に係る考案において、前記収容凹部の周囲には幼児が腰を掛ける段部を設け、該段部が前記昇降用傾斜部に連なるように構成したことを特徴とする。
【００１０】
請求項３に記載の考案の幼児用遊具は、請求項１又は請求項２に係る考案において、前記遊具本体の周縁部には段部より高い収容壁を立設したことを特徴とする。
請求項４に記載の考案の幼児用遊具は、請求項１から請求項３のいずれか一項に係る考案において、前記遊具本体及び昇降用坂道板の表面には滑り止め部を形成したことを特徴とする。
【００１１】
請求項５に記載の考案の幼児用遊具は、請求項１から請求項４のいずれか一項に係る考案において、前記遊具本体及び昇降用坂道板を繊維強化プラスチックにより形成するとともに、収容凹部を形成する底壁は繊維強化プラスチックの層間に樹脂発泡体を介在させて構成したことを特徴とする。
【考案の効果】
【００１２】
本考案によれば、以下のような効果を発揮することができる。
請求項１に係る考案の幼児用遊具は、その遊具本体に水又は遊具用固体を収容可能な収容凹部が設けられ、遊具本体の一端部と収容凹部との間に遊具本体の一端部側が高く、収容凹部側が低くなる昇降用傾斜部が設けられている。さらに、前記遊具本体の一端部には遊具本体の外方に向かって低くなる昇降用坂道板が着脱可能に設けられている。このため、遊具本体に昇降用坂道板が装着された状態で、幼児はその昇降用坂道板を昇り、昇降用傾斜部を伝って降りて収容凹部に収容された水の中に入り、水遊びをすることができる。その後、収容凹部内から昇降用傾斜部を昇り、昇降用坂道板を下って外へ出ることができる。このような動作を繰り返すうちに、幼児は自信をもって傾斜面を昇降し、水に出入りできるようになる。
【００１３】
従って、本考案の幼児用遊具によれば、簡易な構成で、傾斜面や水に対する恐怖心を取り除き、幼児自らの意志で昇降や水遊びを行うことができるという効果を奏する。
【図面の簡単な説明】
【００１４】
【図１】本考案の実施形態における幼児用遊具を示す斜視図。
【図２】（ａ）は幼児用遊具を示す平面図、（ｂ）は幼児用遊具を示す正面図及び（ｃ）は幼児用遊具を示す側面図。
【図３】遊具本体に昇降用坂道板を連結する前の状態を示す分解斜視図。
【図４】遊具本体の脚部を示す側面図。
【図５】遊具本体の収容凹部の底部の構造を示す部分断面図。
【図６】昇降用傾斜部等の表面の滑り止め部を示す部分断面図。
【考案を実施するための形態】
【００１５】
以下、本考案の幼児用遊具を具体化した実施形態を図１〜図６に基づいて詳細に説明する。
図１に示すように、この実施形態の幼児用遊具１０を構成する遊具本体１１は平面矩形状をなし、その中心部には水１２又は軟質ボール等の遊具用固体を収容可能な収容凹部１３が設けられている。この収容凹部１３の中に水１２又は軟質ボールが収容された状態で、幼児１４が水遊びや軟質ボール遊びができるようになっている。なお、収容凹部１３を形成する底壁１５には排水孔１６が設けられ、収容凹部１３内の水１２を排水できるようになっている。
【００１６】
遊具本体１１の一端部１１ａ（図１の右端部）と収容凹部１３との間には、遊具本体１１の一端部１１ａ側が高く、収容凹部１３側が低くなる昇降用傾斜部１７が設けられている。この昇降用傾斜部１７上を幼児１４が昇降し、収容凹部１３に出入りできるように、昇降用傾斜部１７の傾斜角度は緩やかに設定されている。このような昇降用傾斜部１７は、水１２が収容された収容凹部１３から連続して形成されているため、海の渚に似ている。
【００１７】
図１及び図２（ａ）に示すように、前記収容凹部１３の周囲には、幼児が腰を掛ける段部１８が平面コの字状に設けられている。該段部１８の両端部は前記昇降用傾斜部１７に連なるように構成されている。前記遊具本体１１の周縁部には収容壁１９が立設され、段部１８まで水１２又は遊具用固体が収容されたときに水１２又は遊具用固体が外部へこぼれないようになっている。収容壁１９の上端部には外方へ張り出すフランジ部１９ａが設けられている。この遊具本体１１はガラス繊維強化プラスチック（ＦＲＰ）により一体的に形成されている。
【００１８】
図２（ｂ）に示すように、遊具本体１１の一端部１１ａは一対の支持脚２０で一定の高さに支持されるように構成されている。図４に示すように、一対の支持脚２０は鋼鉄製のアングル材で形成され、それらの下端部が同じく鋼鉄製のアングル材で形成された接地脚２１にボルト２２で連結固定されている。一方、遊具本体１１の下面には一対の接続片２３が垂下され、それらの接続片２３に支持脚２０の上端部がボルト２４及びナット２５で締付固定されている。そして、接地脚２１が地面２６上に置かれ、支持脚２０が遊具本体１１の一端部１１ａを支持するようになっている。
【００１９】
図２（ａ）及び（ｂ）に示すように、前記昇降用傾斜部１７の中央部及び両側部の下面には遊具本体１１の長さ方向に延びる木製の補強板２７が接合され、昇降用傾斜部１７を補強するように構成されている。また、図２（ａ）〜（ｃ）に示すように、遊具本体１１の収容凹部１３側の両隅部の下面には、収容凹部１３の両隅部と遊具本体１１の両隅部とを結んで斜め方向に延びる木製の補強板２８が接合され、段部１８を補強するように構成されている。
【００２０】
図５に示すように、収容凹部１３を形成する底壁１５は上下２層のＦＲＰ層２９と、それらのＦＲＰ層２９間に介在された樹脂発泡体としてのポリウレタン樹脂発泡体層３０とにより構成され、地面２６上に載置されるようになっている。そして、遊具本体１１を地面２６上に置いたとき、その衝撃をポリウレタン樹脂発泡体層３０で吸収、緩和できるようになっている。
【００２１】
図１に示すように、遊具本体１１の一端部１１ａには、遊具本体１１の外方に向かって低くなるとともに、前記昇降用傾斜部１７に連なる昇降用坂道板３１が着脱可能に配置されている。図３に示すように、該昇降用坂道板３１の上端部には一対の連結片３２が垂下され、遊具本体１１の一端部１１ａに開口された連結孔３３に係入されるようになっている。昇降用坂道板３１の上端部両側には一対の挿通孔３４が形成されるとともに、遊具本体１１の一端部１１ａ両側には一対の貫通孔３５が形成され、上方からビス３６が各挿通孔３４及び各貫通孔３５を通って図示しないナットに螺合され、昇降用坂道板３１が遊具本体１１に連結されるようになっている。
【００２２】
図２（ａ）及び（ｂ）に示すように、昇降用坂道板３１の両側部及び中央部の下面には遊具本体１１の長さ方向に延びる木製の補強板２７が接合され、昇降用坂道板３１を補強できるように構成されている。図２（ｂ）に示すように、昇降用坂道板３１の傾斜角度は前記昇降用傾斜部１７の傾斜角度とほぼ同じになるように緩やかに設定されている。
【００２３】
図６に示すように、前記遊具本体１１及び昇降用坂道板３１の表面には、微細な凹凸３７よりなる滑り止め部３８が形成されている。特に、昇降用傾斜部１７及び昇降用坂道板３１の表面に形成された滑り止め部３８により、幼児１４が昇降用傾斜部１７及び昇降用坂道板３１を昇降する際に滑ることなく安定した状態で昇降できるように構成されている。
【００２４】
次に、以上のように構成された本実施形態の幼児用遊具１０について作用を説明する。
さて、図１に示すように、夏季に幼児用遊具１０を幼児用プールとして使用する場合には、遊具本体１１に支持脚２０を取付けた状態で遊具本体１１を大人４人で幼稚園の園庭に運んで地面２６の上に置く。このとき、遊具本体１１の底壁１５に衝撃が加わっても、底壁１５は両ＦＲＰ層２９の間にポリウレタン樹脂発泡体層３０が介在されていることから、その衝撃を吸収、緩和することができ、底壁１５の損傷を抑えることができる。次いで、図３に示すように、昇降用坂道板３１の連結片３２を遊具本体１１の連結孔３３に差し込んだ後、ビス３６を昇降用坂道板３１の挿通孔３４と遊具本体１１の貫通孔３５を通してナットで締付け、昇降用坂道板３１を遊具本体１１に一体化する。その後、収容凹部１３に水１２を注いで収容凹部１３に水を満たす。
【００２５】
その状態で、幼児１４は昇降用坂道板３１をハイハイしながら昇り、昇降用坂道板３１の上端部に到る。このとき、昇降用坂道板３１の傾斜角度は緩く設定されるとともに、その表面には滑り止め部３８が形成されていることから、幼児１４は滑り落ちることなく、昇降用坂道板３１を着実に昇ることができる。幼児１４が昇降用坂道板３１を昇り終えたときに、大人がその幼児１４を褒めると、幼児１４は喜んで昇降用坂道板３１を繰り返して昇るようになる。
【００２６】
昇降用坂道板３１の上端部で幼児１４は向きを変え、足を下にして昇降用傾斜部１７をハイハイしながら降りて収容凹部１３内の水１２の中へ入る。このときも、昇降用傾斜部１７の傾斜角度は緩やかで、その表面には滑り止め部３８が形成されているため、滑り落ちることなく、少しずつ安定した状態で降りることができる。幼児１４が水１２の中まで到達したとき、大人がそれを褒めてやることにより、幼児１４は大喜びでその動作を繰り返し、傾斜面や水１２に対して自信をもつことができる。
【００２７】
そして、幼児１４は収容凹部１３内で水１２に漬かって水浴びをしたり、幼児１４同士で水１２を掛け合ったり、段部１８に座って喋ったりして自由に遊ぶことができる。その後、幼児用プールから出る場合には、幼児１４は昇降用傾斜部１７をハイハイして昇り、その頂部で向きを変え、足を下にしてハイハイしながら昇降用坂道板３１を降り、幼児用プールの外へ出る。このときにも、大人が幼児１４を褒めてやることにより、幼児１４は何度も繰り返して幼児用プールへ出入りするようになる。
【００２８】
以上の実施形態によって発揮される効果について、以下にまとめて記載する。
（１）この実施形態の幼児用遊具１０では、その遊具本体１１に水１２を収容する収容凹部１３が設けられ、遊具本体１１の一端部１１ａと収容凹部１３との間に昇降用傾斜部１７が設けられている。さらに、遊具本体１１の一端部１１ａには前記昇降用傾斜部１７に連なる昇降用坂道板３１が着脱可能に設けられている。
【００２９】
このため、昇降用坂道板３１の連結片３２とビス３６により、昇降用坂道板３１を遊具本体１１に容易に連結することができる。そして、昇降用坂道板３１が遊具本体１１に装着された状態で、幼児１４はその昇降用坂道板３１を昇り、昇降用傾斜部１７を伝って降りて収容凹部１３に収容された水１２の中に入り、水遊びをすることができる。その後、収容凹部１３内から昇降用傾斜部１７を昇り、昇降用坂道板３１を下って外へ出ることができる。このような動作を繰り返すうちに、幼児１４は自信をもって傾斜面を昇降し、自発的に水１２に出入りすることができるようになる。
【００３０】
従って、本実施形態の幼児用遊具１０によれば、簡易な構成で、傾斜面や水１２に対する恐怖心を取り除き、幼児１４自らの意志で昇降や水遊びを行うことができるという効果を発揮する。
（２）前記収容凹部１３の周囲には段部１８が設けられ、該段部１８の両端部が昇降用傾斜部１７に連なるように構成されている。このため、幼児１４は段部１８に腰を掛けたり、ハイハイしながら段部１８から昇降用傾斜部１７に容易に移動したりすることができる。
（３）前記遊具本体１１の周縁部には、段部１８より高い収容壁１９が立設されている。そのため、遊具本体１１内に段部１８が水１２に漬かるように水１２を収容することができ、幼児１４は十分に水１２に慣れ親しむことができ、水１２に対する恐怖心を取り除くことができる。
（４）前記遊具本体１１及び昇降用坂道板３１の表面には滑り止め部３８が形成されている。従って、幼児１４が遊具本体１１上や昇降用坂道板３１上を動き回るときに、安定した状態で移動することができる。
（５）前記遊具本体１１及び昇降用坂道板３１はＦＲＰにより形成されるとともに、収容凹部１３を形成する底壁１５は上下位置のＦＲＰ層２９間に樹脂発泡体としてポリウレタン樹脂発泡体層３０が介在されて構成されている。従って、幼児用遊具１０の全体を軽量にして容易に持ち運びができるとともに、遊具本体１１を地面２６に置いたときに底壁１５が受ける衝撃を吸収、緩和して底壁１５の損傷を回避することができる。
【００３１】
なお、前記各実施形態は、次のように変更して具体化することも可能である。
・  昇降用傾斜部１７の傾斜角度と、昇降用坂道板３１の傾斜角度を異なるように構成することができる。また、支持脚２０の高さを変更して、昇降用傾斜部１７及び昇降用坂道板３１の傾斜角度を任意に変更することも可能である。
【００３２】
・  昇降用傾斜部１７と昇降用坂道板３１との間に水平面で構成される踊り場を設けることもできる。
・  前記滑り止め部３８は昇降用傾斜部１７及び昇降用坂道板３１の中央部のみに設けたり、昇降用傾斜部１７及び昇降用坂道板３１に一定間隔をおいて帯状に設けたりすることもできる。
【００３３】
・  前記遊具用固体として、ゴム製又は軟質樹脂製の軟質ボールのほか、水を凍結させて得られる氷、砂などを使用することができる。これらの遊具用固体を用いることにより、幼児用遊具１０を一年中使用することができる。
【００３４】
・  前記樹脂発泡体として、ポリオレフィン樹脂発泡体、ポリスチレン樹脂発泡体等を使用することもできる。
【符号の説明】
【００３５】
１０…幼児用遊具、１１…遊具本体、１１ａ…一端部、１２…水、１３…収容凹部、１７…昇降用傾斜部、１８…段部、１９…収容壁、２９…ＦＲＰ層、３０…ポリウレタン樹脂発泡体層、３１…昇降用坂道板、３８…滑り止め部。
【図１】
0003170656.tif 000003
【図２】
0003170656.tif 000004
【図３】
0003170656.tif 000005
【図４】
0003170656.tif 000006
【図５】
0003170656.tif 000007
【図６】
0003170656.tif 000008